(57)【特許請求の範囲】
【請求項１】
浴室の取付開口に取り付けられる照明装置であって、
光源部を有し、浴室内に向かって発光する面状発光体と、
この面状発光体を前記取付開口に取り付ける取付枠と、
前記光源部の外側を覆う断熱カバーと
を備え、
前記取付枠は、前記取付開口を囲むように前記取付開口の周縁に取り付けられ、前記光源部に熱的に接続されている
ことを特徴とする照明装置。
【請求項２】
前記光源部は、
ＬＥＤ発光素子と、
このＬＥＤ発光素子に熱的に接続され、前記断熱カバーに覆われる伝熱板と
を備え、
前記取付枠は、前記伝熱板を介して前記光源部に熱的に接続されている
ことを特徴とする請求項１記載の照明装置。
【請求項３】
前記断熱カバーは、前記光源部から取り外し自在に取り付けられている
ことを特徴とする請求項１または請求項２に記載の照明装置。
【請求項４】
前記取付枠には、前記面状発光体の発光方向を覆い透光性を有する浴室側カバーが取り付けられており、
この浴室側カバーは、前記取付枠に着脱自在となっている
ことを特徴とする請求項１〜３のいずれか一項に記載の照明装置。
【請求項５】
請求項１に記載の照明装置を浴室に取り付けた取付構造であって、
前記照明装置は、前記取付枠に取り付けられて前記面状発光体の発光方向を覆い透光性を有する浴室側カバーを有しており、
前記浴室側カバーの浴室内側の面が、前記浴室内面と面一となるように配置される
ことを特徴とする照明装置の取付構造。
【発明の詳細な説明】
【技術分野】
【０００１】
本発明は、一般に、照明装置、およびその取付構造、より詳細には、浴室に取り付けられる照明装置、および浴室天井に取り付けられる照明装置の取付構造に関する。
【背景技術】
【０００２】
特許文献１には、従来の照明装置が開示されている。この特許文献１記載の照明装置は、面発光機能を備えた建築用壁パネルである。この照明装置は、表面層と、固定ベースと、表面層と固定ベースとの間に配置された導光板と、導光板の上下両端面に対向配置された光源ブロックとを備えている。導光板は、光源から発せられた光を各端面から取り込んで、前面から出射させる。
【先行技術文献】
【特許文献】
【０００３】
【特許文献１】特開２０１０−２２９６９３号公報
【発明の概要】
【発明が解決しようとする課題】
【０００４】
ところで、この特許文献１記載の照明装置を浴室に使用する場合、例えば、使用開始直後において、表面層や固定ベースは冷えた状態となっている。このため、この場合、表面層や固定ベースに大量に結露が発生してしまうという問題がある。
【０００５】
本発明は、上記事情に鑑みてなされたものであり、浴室に設置されても、取付枠への結露の発生を抑制する照明装置およびその取付構造を提供することを目的とする。
【課題を解決するための手段】
【０００６】
本発明の照明装置は、浴室の取付開口に取り付けられる照明装置であって、光源部を有し、浴室内に向かって発光する面状発光体と、この面状発光体を前記取付開口に取り付ける取付枠と、前記光源部の外側を覆う断熱カバーとを備え、前記取付枠は、前記取付開口を囲むように前記取付開口の周縁に取り付けられ、前記光源部に熱的に接続されていることを特徴とする。
【０００７】
本発明の照明装置の取付構造は、前記照明装置は、前記取付枠に取り付けられて前記面状発光体の発光方向を覆い透光性を有する浴室側カバーを有しており、前記浴室側カバーの浴室内側の面が、前記浴室内面と面一となるように配置されることを特徴とする。
【発明の効果】
【０００８】
本発明の照明装置によれば、浴室に設置されても、取付枠への結露の発生を抑制することができる。
【０００９】
本発明の照明装置の取付構造によれば、取付枠への結露の発生を抑制することができる。
【図面の簡単な説明】
【００１０】
【図１】本実施形態の照明装置の取付構造の分解斜視図である。
【図２】本実施形態の取付枠の斜視図である。
【図３】本実施形態のフレーム本体の斜視図である。
【図４】図３のＡ−Ａ線断面図である。
【図５】図３のＢ−Ｂ線断面図である。
【図６】図３のＣ−Ｃ線断面図である。
【図７】本実施形態の照明装置の断面図である。
【図８】本実施形態の第１のスペーサの斜視図である。
【図９】本実施形態の第１のスペーサを取り付けた状態を示す断面図である。
【図１０】本実施形態の第２のスペーサの斜視図である。
【図１１】本実施形態の第２のスペーサを取り付けた状態を示す断面図である。
【図１２】本実施形態の照明装置の一部を破断した斜視図である。
【図１３】本実施形態の光源部の正面図である。
【図１４】本実施形態の変形例の光源部周辺の要部拡大断面図である。
【図１５】本実施形態の変形例の第一フレーム側を切断した要部拡大断面図である。
【発明を実施するための形態】
【００１１】
以下、本発明の実施形態について添付図面に基づいて説明する。
【００１２】
本実施形態の照明装置２は、図１に示すように、浴室１の天井に取り付けられる。この照明装置２は面状に発光し、浴室１を照明する。照明装置２は、浴室１の天井の面積のおよそ半分を占めている。すなわち、本実施形態の天井は、およそ半分が発光するように構成されている。
【００１３】
浴室１は、天井パネル１１と、壁パネル１４と、床パネル（図示せず）とを有するユニットルームにより構成される。天井パネル１１は、上面に断熱材１６が設けられており、壁パネル１４の上端に載せられて設置されている。天井パネル１１には、点検口１２と、浴室乾燥機を取り付けるための取着口１３とが設けられている。点検口１２は、浴室１から天井裏（天井パネル１１の上方）を点検するための開口である。ユーザーや作業者等は、点検口１２を介して、照明装置２や浴室乾燥機の点検やメンテナンスを行うことができる。
【００１４】
なお、天井パネル１１に設けられる断熱材１６としては、ポリイソシアヌレートフォーム等の合成樹脂発泡体が例示される。
【００１５】
浴室１は天井を有する。本実施形態において天井は、浴室１内部の空間を形成する上面をいい、具体的には、天井パネル１１の下面と、照明装置２の下面とで構成される。天井には取付開口１５が設けられており、この取付開口１５を通して照明できるように照明装置２が取付開口１５上に取り付けられる。
【００１６】
取付開口１５は、照明装置２を取り付けるために天井に設けられた開口である。取付開口１５は、長さと幅（幅は長さよりも短い）とを有しており、これにより矩形状に形成されている。点検口１２は、取付開口１５の長さ方向の一方の端部側に偏った位置において、取付開口１５の幅方向に並ぶように配置されている。
【００１７】
なお、本実施形態の取付開口１５は、天井パネル１１の縁と壁パネル１４の縁とで構成されているが、天井パネル１１に設けられた貫通口により構成されてもよい。また、取付開口１５は矩形状でなくてもよい。
【００１８】
照明装置２は、天井パネル１１および壁パネル１４に取り付けられており、取付開口１５を通して浴室１を照明する。照明装置２は、取付枠３と、面状発光体６と、浴室側カバー９とを備えている。
【００１９】
取付枠３は、面状発光体６と浴室側カバー９とを天井に固定する。本実施形態の取付枠３は、取付開口１５を囲むように当該取付開口１５の周縁に取り付けられる。取付枠３は、図２に示すように、平面視矩形枠状に形成されている。取付枠３は、天井パネル１１と壁パネル１４とを相互に連結し、これによって、天井パネル１１と壁パネル１４とを補強する構造材としての機能も有する。取付枠３は、フレーム本体３１と、スペーサ５と、押さえ部材４７とを備えている。
【００２０】
フレーム本体３１は、図３に示すように、平面視矩形枠状をしており、取付枠３の主体を構成する。フレーム本体３１は、例えば、ステンレス等の金属製材料により構成される。フレーム本体３１は、一対の短フレーム３３と、一対の長フレーム３２とを有しており、短フレーム３３と長フレーム３２とが、互いに固着具で連結されて、枠組みされている。
【００２１】
短フレーム３３の拡大断面図を図４に示す。短フレーム３３は、縦面部３４ａと、壁固定部３５ａと、カバー支持部３６ａと、スペーサ保持部３７ａと、押さえ固定部４１ａとを備えている。縦面部３４ａは、取付開口１５の幅方向に平行な方向に長さを有している。
【００２２】
壁固定部３５ａは、フレーム本体３１を壁パネル１４に連結固定する。壁固定部３５ａは、縦面部３４ａの下端から下方に突出している。壁固定部３５ａには、固着具を挿通するための固着具挿通孔４２ａが設けられている。壁固定部３５ａは、内側の面に壁パネル１４の外面が近接するように配置され、この状態で、固着具挿通孔４２ａに固着具が通され、これによって、当該壁固定部３５ａが壁パネル１４に連結される。
【００２３】
カバー支持部３６ａは、浴室側カバー９を支持する（図７参照）。カバー支持部３６は、縦面部３４ａの下端から水平方向の内側に向かって突出している。カバー支持部３６ａの上面には、パッキンを介して浴室側カバー９が載置される。
【００２４】
スペーサ保持部３７ａは、スペーサ５を保持する。スペーサ保持部３７ａは、縦面部３４ａの上下方向の中間部分から水平方向の内側に向かって突出している。スペーサ保持部３７ａの先端には、スペーサ５を水平方向に位置決めする一対の突条４０ａが設けられている。
【００２５】
押さえ固定部４１ａは、面状発光体６の導光板６１を上方から押さえる押さえ部材４７（図７参照）を固定するための部分である。押さえ固定部４１ａは、縦面部３４ａの上端に設けられている。押さえ固定部４１ａには、上下方向にねじ込み可能なねじ孔４３ａが設けられている。
【００２６】
この短フレーム３３の長さ方向の両端には、図３に示すように、長フレーム３２が連結固定されている。本実施形態の照明装置２は、長フレーム３２として、壁パネル１４の上端に沿う第一フレーム４４と、面状発光体６の光源部７が取り付けられる第二フレーム４５とを備えている。
【００２７】
第一フレーム４４の拡大断面図を図５に示す。第一フレーム４４は、縦面部３４ｂと、壁固定部３５ｂと、カバー支持部３６ｂと、スペーサ保持部３７ｂと、押さえ固定部４１ｂとを備えている。
【００２８】
縦面部３４ｂは、取付開口１５の長さ方向に平行な方向に長さを有している。縦面部３４ｂには、短フレーム３３の縦面部３４ａに対し、固着具を介して連結される２つの固定孔９５が設けられている。この縦面部３４ｂには、短フレーム３３と同様に、壁固定部３５ｂ，カバー支持部３６ｂ，スペーサ保持部３７ｂ，押さえ固定部４１ｂが設けられる。なお、壁固定部３５ｂ，カバー支持部３６ｂ，スペーサ保持部３７ｂ，押さえ固定部４１ｂは、短フレーム３３における構造と同じであるため、説明を省略する（以下、同じ構造には、同じ数字にアルファベットを付した符号とし、同じ構造のものをまとめて説明する場合には、数字のみの符号で示す）。
【００２９】
図６には、第二フレーム４５の拡大断面図を示す。第二フレーム４５は、第一フレーム４４に対し、平行であり且つ取付開口１５の幅方向に離れて配置されている。第二フレーム４５は、縦面部３４ｃと、カバー支持部３６ｃと、スペーサ保持部３７ｃと、光源取付部４６とを備えている。
【００３０】
縦面部３４ｃは、取付開口１５の長さ方向に平行な方向に長さを有している。縦面部３４ｃの長さは、対向する壁パネル１４間の全長に亙って連続している。また、縦面部３４ｃには、天井パネル１１の端部が、固着具を介して連結される。
【００３１】
縦面部３４ｃの下端には、カバー支持部３６ｃが設けられる。カバー支持部３６ｃは、水平方向に延びており、その上面が、短フレーム３３のカバー支持部３６ａおよび第二フレーム４５のカバー支持部３６ｂの上面と同一平面上に位置する。このカバー支持部３６ｃの下面は、天井パネル１１の下面と面一となり、浴室１内に露出する。
【００３２】
スペーサ保持部３７ｃは、スペーサ５を保持する。スペーサ保持部３７ｃは、カバー支持部３６ｃの延出方向の中間から上方に向かって突出した立設部３８と、立設部３８の上端に設けられた保持片３９と、保持片３９の先端に設けられた一対の突条４０ｃとを備えている。
【００３３】
光源取付部４６は、光源部７が取り付けられる部分である。光源取付部４６は、縦面部３４の上端に設けられている。光源取付部４６は、縦面部３４ｃの上端から、第二フレーム４５側に向かって水平方向に突出している。
【００３４】
このような構成のフレーム本体３１には、スペーサ５が取り付けられる。スペーサ５は、図７に示すように、カバー支持部３６に浴室側カバー９が載置された状態で、浴室側カバー９に載置される。そして、スペーサ５の上面には、面状発光体６の導光板６１が載置される。すなわち、スペーサ５は、面状発光体６と浴室側カバー９との間の距離を保つ。本実施形態の照明装置２は、スペーサ５として、第１のスペーサ５１と、光源部７の取付箇所に用いられる第２のスペーサ５７とを備えている。
【００３５】
第１のスペーサ５１は、図８に示すように、下横片５２ａと、縦片５３ａと、上横片５４ａとを備えている。下横片５２ａは、浴室側カバー９の周縁部に載置される。下横片５２ａの先端には、Ｌ字状の脚片５５ａが設けられている。脚片５５ａの下端は、フレーム本体３１のカバー支持部３６の上面に当たって接するか、あるいは近接対向するように構成される。
【００３６】
縦片５３ａは、下横片５２ａの内側の端部から上方に向かって延出している。縦片５３ａの上端には、上横片５４ａが外側に向かって延出している。この上横片５４ａには、図９に示すように、面状発光体６の導光板６１が載せられる。従って、縦片５３ａは、導光板６１から浴室側カバー９までの全長に亙って設けられる。
【００３７】
図８に示すように、上横片５４ａの先端には、下方に突出した差し込み片５６ａが設けられている。これにより、上横片５４ａは断面Ｌ字状に形成される。この差し込み片５６ａは、フレーム本体３１のスペーサ保持部３７の一対の突条４０ａ，４０ｃに嵌まり込む。これにより、第１のスペーサ５１は、フレーム本体３１の所定の位置に保持される。
【００３８】
この第１のスペーサ５１は、フレーム本体３１の短フレーム３３と長フレーム３２（第一フレーム４４，第二フレーム４５）とのうち、短フレーム３３と第一フレーム４４に取り付けられる。第１のスペーサ５１は、図９に示すように、フレーム本体３１のカバー支持部３６ｂ（３６ａ）に載置された浴室側カバー９上に、下横片５２ａが載置され、差し込み片５６ａがスペーサ保持部３７ｂ（３７ａ）に差し込まれて取り付けられる。
【００３９】
第２のスペーサ５７は、図１０に示すように、下横片５２ｂと、縦片５３ｂと、上横片５４ｂと、光源受け５８とを備えている。下横片５２ｂは、浴室側カバー９の周縁部に載置される。下横片５２ｂの先端には、Ｌ字状の脚片５５ｂが設けられている。脚片５５ｂの下端は、フレーム本体３１のカバー支持部３６の上面に当たって接するか、あるいは近接対向する。
【００４０】
縦片５３ｂは、下横片５２ｂの内側の端部から上方に向かって延出している。縦片５３ｂの上端には、上横片５４ｂが外側に向かって延出している。この上横片５４ｂには、面状発光体６の導光板６１が載せられる。
【００４１】
下横片５２ｂの延出方向の途中には、下方に突出した差し込み片５６ｂが設けられる。差し込み片５６ｂは、第二フレーム４５のスペーサ保持部３７ｃの一対の突条４０ｃに嵌まり込む。これにより、第２のスペーサ５７は、フレーム本体３１の所定の位置に保持される。
【００４２】
光源受け５８は、上横片５４の延出方向の先端に設けられている。光源受け５８は、上方に開口した断面Ｕ字状に形成されており、光源部７の下端が収容される。
【００４３】
この第２のスペーサ５７は、図１１に示すように、第二フレーム４５に取り付けられる。第２のスペーサ５７は、フレーム本体３１のカバー支持部３６ｃに載置された浴室側カバー９上に、下横片５２ｂが載置され、差し込み片５６ｂがスペーサ保持部３７ｃに差し込まれて取り付けられる。
【００４４】
スペーサ５と浴室側カバー９との間には、パッキンが介在している。また、スペーサ５の上横片５４の上面には、パッキンを介して面状発光体６の導光板６１が載せられる。さらに、第１のスペーサ５１と第２のスペーサ５７とは、フレーム本体３１に取り付けられると矩形枠状となるが、第１のスペーサ５１と第２のスペーサ５７とのなすコーナー部分にはパッキンが挟まれる。これにより、浴室側カバー９とスペーサ５と導光板６１とで囲まれた空間は気密状態となっており、断熱空間を形成する。
【００４５】
面状発光体６は、浴室１内に向かって面状に発光する発光装置である。面状発光体６は、図１２に示すように、導光板６１と、光源部７とを備えている。なお、図中の符号９１は、導光板６１の上面に被せる上カバーである。
【００４６】
ここで、面状発光体６は、エッジライト式の面発光装置に限らず、同一平面上にＬＥＤからなる点光源を縦横に多数配列して、面状に発光させる発光装置も含む。
【００４７】
導光板６１は、光源部７から発せられた光を端面から取り込み、下面から出射して、室内を照明する。導光板６１は、アクリルやガラスなどの透明板によって構成される。導光板６１は、取付開口１５の幅方向に平行な方向に幅を有し、取付開口１５の長さ方向に平行な方向に長さを有し、これにより平面視矩形状に形成されている。また、導光板６１は、上下方向に厚さを有している。
【００４８】
導光板６１は、図１１に示すように、入射面６２と、拡散部６３と、出射面６４とを備えている。入射面６２は、光源部７から発せられた光を導光板６１内部に取り込むための端面である。入射面６２は、導光板６１の幅方向の一対の端面のうち、点検口１２が配置される側の端面により構成される。
【００４９】
拡散部６３は、入射面６２から導光板６１の内部に入射した光を拡散させ、出射面６４に向かって反射させる。拡散部６３は、導光板６１の上面に形成される。拡散部６３は、例えば、ドット状のパターンが導光板６１の上面に印刷されることで形成される。
【００５０】
出射面６４は、導光板６１の内部に取り込んだ光を外部に出射させるための面である。出射面６４は、導光板６１の下面によって構成される。
【００５１】
導光板６１は、図１２に示すように、スペーサ５上に配置された状態で、押さえ部材４７によって押さえられ、これにより取付枠３に固定される。導光板６１は、取付枠３に取り付けられると、天井に設けられた取付開口１５を上方から覆う。
【００５２】
光源部７は、取付枠３の第二フレーム４５の長さ方向に沿って配置されている。光源部７は、複数の本体部７１（本実施形態では３つ）を備えている。この複数の本体部７１は、取付枠３の第二フレーム４５に沿って直線状に配置される。
【００５３】
本体部７１は、第二フレーム４５の長さ方向に沿って延びている。本体部７１は、長手方向に直角な水平方向に向かって発光するように構成されている。
【００５４】
本体部７１は、図１３に示すように、伝熱板７２と、覆い部８０と、発光部７７とを備えている。伝熱板７２は、発光部７７を支持する受片７３と、受片７３の上端から外側に向かって突出した支持片７４と、受片７３の上端から内側に向かって突出した連結片７６とを備えている。伝熱板７２は、金属によって構成される。伝熱板７２は、受片７３が発光部７７に熱的に接続されており、発光部７７から発生した熱が伝導するように構成されている。
【００５５】
発光部７７は、基板７８と、この基板７８上に実装された複数のＬＥＤ（Light Emitting Diode）発光素子７９とを備えている。複数のＬＥＤ発光素子７９は、本体部７１の長さ方向に沿って一定の間隔をおいて配置されている。この発光部７７は、伝熱板７２に取り付けられ、覆い部８０によって覆われる。なお、発光部７７は、一定時間、発光が継続すると発熱する。
【００５６】
覆い部８０は、発光部７７を側方から覆い、当該発光部７７を保護する。覆い部８０は、下端が受片７３に連結され、上端が連結片７６に連結されて取り付けられる。覆い部８０は、ＬＥＤ発光素子７９の上下両側に設けられた一対の突起８１と、この突起８１間に設けられた透過部８２とを備える。
【００５７】
突起８１は、覆い部８０から基板７８に向かって突出している。突起８１の先端は、基板７８に接触または近接対向している。透過部８２は、透明樹脂によって構成されている。なお、覆い部８０において、透過部８２以外の部位は、光反射性のある樹脂材（例えば、白色の樹脂材）によって構成されている。すなわち、覆い部８０は、２色成形品である。
【００５８】
また、覆い部８０には、導光板６１側に突出する押さえ突部８３が設けられている。押さえ突部８３は、光源部７が取付枠３に取り付けられると、導光板６１を上から押さえつけるように構成されている。この押さえ突部８３も白色の樹脂材によって構成される。
【００５９】
このような構成の光源部７は、図１１に示すように、伝熱板７２が、第二フレーム４５の光源取付部４６に載せられて取り付けられる。このとき、少なくとも伝熱板７２の一部が、光源取付部４６に熱的に接続される。また、光源部７の下端は、第２のスペーサ５７の光源受け５８に収容される。なお、この光源受け５８も光源部７に熱的に接続される。
【００６０】
また、光源部７の外側（本実施形態では上側）には、光源部７を覆う断熱カバー９２が設けられている。断熱カバー９２は、光源部７の伝熱板７２を覆うように構成されている。これによって、伝熱板７２は、発光部７７から受け取った熱をできる限り放熱しないようにすることができる。この断熱カバー９２は、例えば、ＥＰＤＭ発泡シートによって構成される。
【００６１】
この断熱カバー９２は、伝熱板７２に対し着脱自在に取り付けられている。断熱カバー９２は、固着具によって取り付けられてもよいし、接着によって取り付けられてもよい。断熱カバー９２は、接着により取り付けられると、伝熱板７２に密着するため、伝熱板７２からの放熱を抑制することができて好ましい。
【００６２】
発光部７７が発光すると、その光は、大部分が透過部８２を通過して直接導光板６１に入射し、一部の光が、透過部８２とその他の部位との境界面および突起８１に反射して導光板６１に入射する。従って、本実施形態の照明装置２によれば、覆い部８０によって光ロスを抑制する。
【００６３】
入射した光は、導光板６１の内部において、全反射を繰り返し、導光板６１の拡散部６３に拡散反射して、出射面６４から出射する。すると、導光板６１の下面は面状に発光する。導光板６１の出射面６４から出射した光は、浴室側カバー９を透過し、浴室１内を照らす。
【００６４】
このとき、発光部７７の発光が一定時間継続して、発光部７７が発熱すると、その熱は、伝熱板７２に伝導し、そのまま第二フレーム４５に伝導する。すると、この第二フレーム４５は温度上昇し、結露の発生が抑制される。
【００６５】
浴室側カバー９は、透光性を有する樹脂板である。浴室側カバー９は、図７に示すように、面状発光体６の発光方向に所定の距離離して配置されており、面状発光体６を浴室１側から覆う。浴室側カバー９の下面は、浴室１の天井（浴室１の内面）に面一となるように配置される。浴室側カバー９は、例えば、シボ加工が施された拡散板であってもよいし、透明板であってもよい。
【００６６】
なお、ここでいう「面一」とは、厳密な意味での面一だけでなく、外観上、面一とみなせるものであれば、同じ概念に含まれるものとする。
【００６７】
上カバー９１は、導光板６１の上面を全面に亙って覆う。上カバー９１は、ＥＰＤＭ発泡シートによって構成されており、断熱性を有している。また、本実施形態の照明装置は、浴室側カバー９とスペーサ５と導光板６１とで囲まれた部分が断熱空間を形成する。このため、本実施形態の照明装置によれば、取付開口を介して熱を逃げにくくすることができる上に、浴室側カバー９が冷えにくいため、浴室側カバー９への結露の発生を抑制することもできる。
【００６８】
以上説明したように、本実施形態の照明装置２は、次の第１の特徴を備える。第１の特徴では、照明装置２は、光源部７を有する面状発光体６と、この面状発光体６を取付開口１５に取り付ける取付枠３と、光源部７の外側を覆う断熱カバー９２とを備える。そして、取付枠３が光源部７に熱的に接続されている。
【００６９】
この第１の特徴を有する照明装置２によれば、光源部７が発光すると光源部７が発熱するが、この熱は、取付枠３に伝導する。このとき、光源部７は断熱カバー９２に覆われているため、取付枠３に伝導せずに放熱するのを抑制できる。この結果、光源部７から生じた排熱を効果的に取付枠３に伝導することができ、取付枠３への結露の発生を抑制することができる。
【００７０】
また、本実施形態の照明装置２は、以下に示す第２，３の特徴を有することが好ましい。なお、この第２，３の特徴は、本発明に必ずしも必要な構成ではなく、任意の構成である。
【００７１】
第２の特徴では、第１の特徴において、光源部７は、ＬＥＤ発光素子７９と、このＬＥＤ発光素子７９に熱的に接続された伝熱板７２とを備える。伝熱板７２は、断熱カバー９２に覆われる。取付枠３は、伝熱板７２を介して光源部７に熱的に接続される。
【００７２】
この第２の特徴を有する照明装置２によれば、光源部７が取付枠３から離れていても、光源部７からの熱を、伝熱板７２を介して効果的に取付枠３に伝導することができる。
【００７３】
第３の特徴では、第１または第２の特徴において、断熱カバー９２は、光源部７から取り外し自在に取り付けられる。
【００７４】
この第３の特徴を有する照明装置２によれば、断熱カバー９２の周辺に生じる結露によって、当該断熱カバー９２が劣化しても、簡単に交換することができる。
【００７５】
なお、本実施形態の照明装置２は、浴室側カバー９を浴室１内から取り外すことができない構造となっていたが、図１４，１５に示すように、浴室内から浴室側カバー９を取り外して光源部７をメンテナンスできる構造としてもよい。以下、図１４，１５の例を変形例として説明する。
【００７６】
変形例の照明装置２は、第二フレーム４５のカバー支持部３６ｃが、固着具を介して着脱自在に固定された支持部材３６ｄを有する。支持部材３６ｄは、浴室側カバー９を支持する。第二フレーム４５から支持部材３６ｄを取り外すと、浴室側カバー９と第２のスペーサ５７とを浴室１内から取り外すことができる。
【００７７】
短フレーム３３と第一フレーム４４とは同じ構造となっている。このため、第一フレーム４４について説明する。図１５に示すように、第一フレーム４４のカバー支持部３６ｂは、固着具を介して着脱自在に固定された支持部材３６ｄを有する。支持部材３６ｄは、浴室側カバー９を支持する。第一フレーム４４から支持部材３６ｄを取り外すと、浴室側カバー９を浴室１内から取り外すことができる。なお、このとき、第１のスペーサ５１は第一フレーム４４から取り外すことはできない。
【００７８】
ユーザーは、支持部材３６ｄを取り外すことで、浴室１内から浴室側カバー９を取り外すことができる。そして、図１４に示すように、第２のスペーサ５７を取り外すことができる。なお、このとき、導光板６１は、第１のスペーサ５１に支持されている。
【００７９】
光源部７は、発光部７７と覆い部８０とを下方に引くことで、これらを脱着可能な構造となっている。従って、ユーザーは、浴室側カバー９を取り外し、第２のスペーサ５７を取り外せば、浴室１内から発光部７７を取り外して、メンテナンスを行うことができる。
【００８０】
以上説明したように、実施形態の照明装置２は、以下に示す第４の特徴を有することが好ましい。
【００８１】
第４の特徴では、第１〜３の特徴のいずれかの特徴において、取付枠３には、面状発光体６の発光方向を覆う浴室側カバー９が取り付けられる。浴室側カバー９は、透光性を有する。浴室側カバー９は、取付枠３に着脱自在となっている。
【００８２】
この第４の特徴を有する照明装置２によれば、ユーザーは、浴室１の内部から、浴室側カバー９を取り外すことができ、光源部７のメンテナンスを容易に行うことができる。
【００８３】
また、本実施形態の照明装置２の取付構造は、次の第５の特徴を有する。第５の特徴では、第１の特徴を有する照明装置２が、浴室１に取り付けられたものである。照明装置２は、取付枠３に取り付けられ、面状発光体６の発光方向を覆う浴室側カバー９を有する。浴室側カバー９は、透光性を有する。浴室側カバー９の下面が、浴室１の内面と面一となるように配置される。
【００８４】
第５の特徴を有する照明装置２の取付構造によれば、浴室側カバー９の表面が浴室１の天井と面一となっているため、浴室側カバー９が浴室１の天井から突出して、外観を損なわせてしまうのを防ぐことができる。また、浴室側カバー９の表面と浴室１の天井とが面一とすることで、ユーザーに浴室１を広く感じさせることができる。
【００８５】
なお、本実施形態の照明装置２は、浴室１の天井に設置されていたが、例えば、壁パネル１４に取付開口を設け、この取付開口に設置したものであってもよい。
【符号の説明】
【００８６】
１      浴室
１１    天井パネル
１４    壁パネル
１５    取付開口
１６    断熱材
２      照明装置
３      取付枠
３１    フレーム本体
３４    縦面部
３５    壁固定部
３６    カバー支持部
３７    スペーサ保持部
４１    押さえ固定部
４４    第一フレーム
４５    第二フレーム
４６    光源取付部
４７    押さえ部材
５      スペーサ
５１    第１のスペーサ
５７    第２のスペーサ
６      面状発光体
６１    導光板
７      光源部
７１    本体部
７２    伝熱板
７７    発光部
７８    基板
７９    ＬＥＤ発光素子
９      浴室側カバー
９２    断熱カバー
【図１】
0006459119.tif 000002
【図２】
0006459119.tif 000003
【図３】
0006459119.tif 000004
【図４】
0006459119.tif 000005
【図５】
0006459119.tif 000006
【図６】
0006459119.tif 000007
【図７】
0006459119.tif 000008
【図８】
0006459119.tif 000009
【図９】
0006459119.tif 000010
【図１０】
0006459119.tif 000011
【図１１】
0006459119.tif 000012
【図１２】
0006459119.tif 000013
【図１３】
0006459119.tif 000014
【図１４】
0006459119.tif 000015
【図１５】
0006459119.tif 000016